【手続補正書】
【提出日】平成18年3月6日(2006.3.6)
【手続補正１】
【補正対象書類名】特許請求の範囲
【補正対象項目名】全文
【補正方法】変更
【補正の内容】
【特許請求の範囲】
【請求項１】
フレームと、
該フレーム内に固定されて、該フレーム一端方向に出力軸を延出するモータと、
該出力軸に連結されて該フレーム内一端方向に延設され、一端部にドリル刃を取付可能に設けられ、出力軸方向に摺動可能で被打撃箇所となる被打撃部を有する回転軸と、
該回転軸の軸方向と略平行に設けられて該被打撃部を打撃する往復摺動可能なピストンと、
該ピストンを圧縮流体により駆動するピストン駆動装置と、
該フレーム内に設けられて該ピストン駆動装置に圧縮流体を供給する圧縮流体供給部と、を備えたことを特徴とする穿孔機。
【請求項２】
該圧縮流体供給部には、圧縮流体を生成する圧縮機に連結される連結部と、
該連結部とピストン駆動装置とを連通する打撃通路を画成する打撃通路画成部と、
該打撃通路に設けられて該打撃通路を流れる圧縮流体の流量を制御する打撃通路流量制御装置と、を備えたことを特徴とする請求項１に記載の穿孔機。
【請求項３】
該回転軸は、該出力軸と動力的に連結される連結箇所に他端部が固着されるメインシャフトと、該メインシャフト一端部に外挿されて該メインシャフトに対して往復摺動可能な筒状体のスピンドルと、より構成され、
該メインシャフトは該メインシャフト一端部にその先端位置より軸方向に溝部が穿設され、該スピンドルは該スピンドル他端部に該被打撃部が設けられると共に該スピンドル内周面他端部側位置に突出する凸部が形成され、該凸部が該溝部に挿入契合して該スピンドルが該メインシャフトに外挿されることを特徴とする請求項２に記載の穿孔機。
【請求項４】
該ピストンは、略筒状に形成されると共に、該回転軸に外挿されていることを特徴とする請求項２または請求項３いずれかに記載の穿孔機。
【請求項５】
該フレームは、該モータが内蔵される第１フレームと、該第１フレームの一端に接続されて、該ピストン駆動装置が内蔵されるとともに一端に該ドリル刃が位置する第２フレームと、を備え、
該ピストン駆動装置は、該第２フレームとの境界部を画成し、該回転軸を貫通させて支承する該第１フレームの一部である第１壁と、該第２フレーム内に固定されて、該回転軸が貫通している第２壁と、該第１壁と該第２壁により該第２フレーム内に担持されるとともに内周面より突出した環状凸部が設けられ、該環状凸部の該モータ側部の内周面から外周面にまで貫通し該打撃通路と連通する環状凸部側部孔が形成され、かつ内部に該回転軸が貫通しているシリンダと、を有し、
該ピストンは、内径が該回転軸と略同寸法に形成され、該シリンダと該回転軸の間に挿入され、該ピストンは、一端側が該環状凸部内径と略同寸法に形成され、他端側が該シリンダ内径と略同寸法に形成されて、該一端側が該環状凸部内に常時挿通されて該シリンダ内の該モータ側位置である第１位置と該ドリル刃側である第２位置の間で摺動可能であり
また該ピストンには、該ピストンの外周面に開口する第１孔と、該第１孔と該シリンダ、該第１壁、該回転軸、及び該ピストン端面より画成される空間とを連通する第２孔とが形成され、
該第１孔は、該ピストンが該第１位置側にある時に該環状凸部より該第１位置側に位置し、かつ該ピストンが該第２位置側にある時に該環状凸部より該第２位置側に位置する箇所に形成されることを特徴とする請求項４記載の穿孔機。
【請求項６】
該フレームには該貫通孔と該圧縮流体供給部とを連通する第１流体通路を画成する第１流体通路画成部を備え、
該回転軸の該一端部は軸方向に第２流体通路が形成された筒部により構成されると共に、該筒部には内周面から外周面までを貫いて該第２流体通路に連通する貫通孔が形成されたことを特徴とする請求項２に記載の穿孔機。
【請求項７】
該圧縮流体供給部には、該連結部と該第１流体通路とを連通する冷却通路を画成する冷却通路画成部と、
該冷却通路に設けられて該冷却通路を流れる圧縮流体の流量を制御する冷却通路流量制御装置と、を更に備えたことを特徴とする請求項６に記載の穿孔機。
【請求項８】
該ピストン駆動装置は、流入する圧縮流体を排出する排出通路を備え、該排出通路は、該第１流体通路に開口していることを特徴とする請求項７に記載の穿孔機。
【請求項９】
該回転軸は、該出力軸と動力的に連結される連結部に他端部が固着されるメインシャフトと、該メインシャフト一端部に外挿されて該メインシャフトに対して往復摺動可能な筒状体のスピンドルと、より構成され、
該メインシャフトは該メインシャフト一端部にその先端位置より軸方向に溝部が穿設され、該スピンドルは該スピンドル他端部に被打撃部が設けられると共に該スピンドル内周面他端部側位置に突出する凸部が形成され、該凸部が該溝部に挿入係合して該スピンドルが該メインシャフトに外挿されることを特徴とする請求項６乃至請求項８いずれか一に記載の穿孔機。
【請求項１０】
該ピストンは、略筒状に形成されると共に、該回転軸に外挿されていることを特徴とする請求項６乃至請求項９いずれか一に記載の穿孔機。
【請求項１１】
該フレームは、該モータが内蔵される第１フレームと、該第１フレームの一端に接続されて、該ピストン駆動装置が内蔵されるとともに一端に該ドリル刃が位置する第２フレームと、を備え、
該ピストン駆動装置は、該第２フレームとの境界部を画成し、該回転軸を貫通させて支承する該第１フレームの一部である第１壁と、該第２フレーム内に固定されて、該回転軸が貫通している第２壁と、該第１壁と該第２壁により該第２フレーム内に担持されるとともに内周面より突出した環状凸部が設けられ、該環状凸部の該モータ側部の内周面から外周面にまで貫通し該打撃通路と連通する環状凸部側部孔が形成され、かつ内部に該回転軸が貫通しているシリンダと、を有し、
該ピストンは、内径が該回転軸と略同寸法に形成され、該シリンダと該回転軸の間に挿入され、該ピストンは、一端側が該環状凸部内径と略同寸法に形成され、他端側が該シリンダ内径と略同寸法に形成されて、該一端側が該環状凸部内に常時挿通されて該シリンダ内の該モータ側位置である第１位置と該ドリル刃側である第２位置の間で摺動可能であり
また該ピストンには、該ピストンの外周面に開口する第１孔と、該第１孔と該シリンダ、該第１壁、該回転軸、及び該ピストン端面より画成される空間とを連通する第２孔とが形成され、
該第１孔は、該ピストンが該第１位置側にある時に該環状凸部より該第１位置側に位置し、かつ該ピストンが該第２位置側にある時に該環状凸部より該第２位置側に位置する箇所に形成されることを特徴とする請求項１０記載の穿孔機。
【請求項１２】
該フレームには該貫通孔と該圧縮流体供給部とを連通する第１流体通路を画成する第１流体通路画成部を備え、
該回転軸の該一端部は軸方向に第２流体通路が形成された筒部により構成されると共に、該筒部には内周面から外周面までを貫いて該第２流体通路に連通する貫通孔が形成されたことを特徴とする請求項１に記載の穿孔機。
【請求項１３】
該圧縮流体供給部には、該連結部と第１流体通路とを連通する冷却通路を画成する冷却通路画成部と、
該冷却通路に設けられて該冷却通路を流れる圧縮流体の流量を制御する冷却通路流量制御装置と、を更に備えたことを特徴とする請求項１２に記載の穿孔機。
【請求項１４】
該回転軸は、該出力軸と動力的に連結される連結部に他端部が固着されるメインシャフトと、該メインシャフト一端部に外挿されて該メインシャフトに対して往復摺動可能な筒状体のスピンドルと、より構成され、
該メインシャフトは該メインシャフト一端部にその先端位置より軸方向に溝部が穿設され、該スピンドルは該スピンドル他端部に被打撃部が設けられると共に該スピンドル内周面他端部側位置に突出する凸部が形成され、該凸部が該溝部に挿入契合して該スピンドルが該メインシャフトに外挿されることを特徴とする請求項１または請求項１２もしくは請求項１３いずれか一に記載の穿孔機。
【請求項１５】
該ピストンは、略筒状に形成されると共に、該回転軸に外挿されていることを特徴とする請求項１または請求項１２乃至請求項１４いずれか一に記載の穿孔機。
【手続補正２】
【補正対象書類名】明細書
【補正対象項目名】０００８
【補正方法】変更
【補正の内容】
【０００８】
上記目的を達成するために本発明は、フレームと、該フレーム内に固定されて、該フレーム一端方向に出力軸を延出するモータと、該出力軸に連結されて該フレーム内一端方向に延設され、一端部にドリル刃を取付可能に設けられ、出力軸方向に摺動可能で被打撃箇所となる被打撃部を有する回転軸と、該回転軸の軸方向と略平行に設けられて該被打撃部を打撃する往復摺動可能なピストンと、該ピストンを圧縮流体により駆動するピストン駆動装置と、該フレーム内に設けられて該ピストン駆動装置に圧縮流体を供給する圧縮流体供給部と、を備えたことを特徴とする穿孔機を提供している。このような構成によると、圧縮流体、例えば圧縮空気を動力としてピストンを駆動することができる。
【手続補正３】
【補正対象書類名】明細書
【補正対象項目名】００１３
【補正方法】変更
【補正の内容】
【００１３】
また、該フレームは、該モータが内蔵される第１フレームと、該第１フレームの一端に接続されて、該ピストン駆動装置が内蔵されるとともに一端に該ドリル刃が位置する第２フレームと、を備え、該ピストン駆動装置は、該第２フレームとの境界部を画成し、該回転軸を貫通させて支承する該第１フレームの一部である第１壁と、該第２フレーム内に固定されて、該回転軸が貫通している第２壁と、該第１壁と該第２壁により該第２フレーム内に担持されるとともに内周面より突出した環状凸部が設けられ、該環状凸部の該モータ側部の内周面から外周面にまで貫通し該打撃通路と連通する環状凸部側部孔が形成され、かつ内部に該回転軸が貫通しているシリンダと、を有し、該ピストンは、内径が該回転軸と略同寸法に形成され、該シリンダと該回転軸の間に挿入され、該ピストンは、一端側が該環状凸部内径と略同寸法に形成され、他端側が該シリンダ内径と略同寸法に形成されて、該一端側が該環状凸部内に常時挿通されて該シリンダ内の該モータ側位置である第１位置と該ドリル刃側である第２位置の間で摺動可能であり、また該ピストンには、該ピストンの外周面に開口する第１孔と、該第１孔と該シリンダ、該第１壁、該回転軸、及び該ピストン端面より画成される空間とを連通する第２孔とが形成され、該第１孔は、該ピストンが該第１位置側にある時に該環状凸部より該第１位置側に位置し、かつ該ピストンが該第２位置側にある時に該環状凸部より該第２位置側に位置する箇所に形成されてもよい。
【手続補正４】
【補正対象書類名】明細書
【補正対象項目名】００１５
【補正方法】変更
【補正の内容】
【００１５】
また、該フレームには該貫通孔と該圧縮流体供給部とを連通する第１流体通路を画成する第１流体通路画成部を備え、該回転軸の該一端部は軸方向に第２流体通路が形成された筒部により構成されると共に、該筒部には内周面から外周面までを貫いて該第２流体通路に連通する貫通孔が形成されてもよい。
【手続補正５】
【補正対象書類名】明細書
【補正対象項目名】００２６
【補正方法】変更
【補正の内容】
【００２６】
本発明の実施の形態による穿孔機について図１乃至図９を参照して説明する。当該実施の形態では、圧縮流体として、圧縮空気を使用する。また穿孔機１の、後述のドリル刃５０が設けられている一端側を前側、他端側を後側とする。図１に示す穿孔機１は、ドリル本体であるハウジング２、ハウジング２の前部に連接して設けられた減速部１０、減速部１０の前方に連接して設けられ内部にピストン駆動装置を内蔵するシリンダ部２０、同じくハウジング２の前部に連接して、かつシリンダ部２０の下部に連接して設けられた圧縮空気供給部４０、及びシリンダ部２０の前部に付設されるドリル刃５０により主に構成される。
【手続補正６】
【補正対象書類名】明細書
【補正対象項目名】００３０
【補正方法】変更
【補正の内容】
【００３０】
シリンダ部２０は、ギヤカバー１１を第１壁として、このギヤカバー１１にパッキン９を介して略円筒状のシリンダカバー２１が当接し、ギヤカバー１１とシリンダカバー２１とを外郭として構成されている。シリンダカバー２１は図示せぬネジでギヤカバー１１に固定されている。ギヤカバー１１のシリンダカバー２１内空間に面した箇所には、ギヤカバー１１の壁面から略垂直に延出された円筒状のシリンダ保持部１１Ａが設けられている。尚このシリンダカバー２１の下側部分は、シリンダ部２０の下部に設けられる圧縮空気供給部４０の外郭になる。
【手続補正７】
【補正対象書類名】明細書
【補正対象項目名】００３１
【補正方法】変更
【補正の内容】
【００３１】
第２フレームであるシリンダカバー２１内部の空間には、ピストン駆動装置の一部である筒状のシリンダ２２が設けられる。このシリンダ２２は、図３に示すように、シリンダ前端部２２Ａ、シリンダ後端部２２Ｂを備え、シリンダ前端部２２Ａが、図２に示すシリンダカバー２１内空間に予め嵌入された第２壁となるスペーサ２６より延出して設けられているシリンダ保持部２６Ａ内に、ワッシャ２７を介して嵌入されている。このスペーサ２６は、中央部が開口して内部にメインシャフト２３を貫通させた環状であり、スペーサ２６とメインシャフト２３の隙間がシリンダ２２内に吐出された圧縮空気の排出口６２となる。
【手続補正８】
【補正対象書類名】明細書
【補正対象項目名】００３７
【補正方法】変更
【補正の内容】
【００３７】
ピストン胴部２５Ａには、その外周面からピストン２５の中心方向に延びる第１孔２５ｃが穿設されている。またピストン２５には、第１孔２５ｃ内壁面に一端の開口部が、ピストン後端部２５Ｂの後端面に他端の開口部が形成されてピストン２５の軸方向と平行に形成される第２孔２５ｄが穿設されている。
【手続補正９】
【補正対象書類名】明細書
【補正対象項目名】００５１
【補正方法】変更
【補正の内容】
【００５１】
出力軸６の先端に設けられたピニオンギヤ７は、第１ギヤ１３のファーストギヤ１３ａと噛合しているため、第１ギヤ１３は回転する。第１ギヤ１３はファーストピニオンギヤ１３ｂにより第２ギヤ１４と噛合しているため、第１ギヤの回転は第２ギヤ１４に伝達される。この第２ギヤ１４の中心軸部分にはメインシャフト後端部２３Ｄが同軸的に嵌合しているため、メインシャフト２３は第２ギヤ１４と同時に回転する。
【手続補正１０】
【補正対象書類名】明細書
【補正対象項目名】００５８
【補正方法】変更
【補正の内容】
【００５８】
ドリル刃５０の打撃は、ピストン２５でスピンドル後端部２４Ｂを打撃することにより行う。具体的には、図２に示す状態で、空気室４３から、空気室４３に連通する打撃用空気通路４５及び空間３６を介して連通する側部孔２２ｅより空間３７ａに圧縮空気が吐出されて蓄積される。図２に示す状態では、ピストン２５が前端側である第２位置にあり、第１孔２５ｃはシリンダ凸部より前端側に位置して排出口６２付近に対してのみ開口しているため、空間３７ａと、空間３７ｂとは連通しない。よって空間３７ａに圧縮空気が蓄積されることにより内部圧力が高まり、空間３７ｂとの間に圧力差が生じる。
【手続補正１１】
【補正対象書類名】明細書
【補正対象項目名】００６９
【補正方法】変更
【補正の内容】
【００６９】
１  穿孔機    ２  ハウジング    ３  ハンドル    ４  トリガ    ５  ファン
６  出力軸    ７  ピニオンギヤ    ９  パッキン    １０  減速部
１１  ギヤカバー    １１Ａ  シリンダ保持部    １２  インナーカバー
１３  第１ギヤ    １３ａ  ファーストギヤ    １３ｂ  ファーストピニオンギヤ
１４  第２ギヤ    １５Ａ、１５Ｂ、１６Ａ、１６Ｂ、１７  ベアリング
２０  シリンダ部    ２１  シリンダカバー    ２２  シリンダ
２２Ａ  シリンダ前端部    ２２Ｂ  シリンダ後端部    ２２Ｃ  シリンダ凸部
２２Ｄ  シリンダ胴部    ２２ｅ  側部孔    ２３  メインシャフト
２３Ａ  メインシャフト前端部    ２３Ｄ  メインシャフト後端部
２３Ｃ  メインシャフト胴部    ２３ｂ  溝    ２４  スピンドル
２４Ａ  スピンドル前端部    ２４Ｂ  スピンドル後端部    ２４ｃ  スピンドル凸部  
２４ｄ  溝    ２４ｅ  空気孔    ２５  ピストン    ２５Ａ  ピストン胴部
２５Ｂ  ピストン後端部    ２５ｃ  孔    ２５ｄ  孔    ２６  スペーサ
２６Ａ  シリンダ保持部    ２７  ワッシャ    ２８  ウレタンワッシャ
２９  ワッシャ    ３０  スリーブ    ３０ａ  孔    ３１  スチールボール
３２  ベアリング    ３３  メタルピース    ３４  オイルシール
３５  オイルシール    ３６、３７ａ、３７ｂ  空間    ３８  第１空気通路
３９  第２空気通路    ４０  圧縮空気供給部    ４１  外郭    ４２  連結部
４３  空気室    ４４  打撃用コック部    ４５  打撃用空気通路
４６  打撃用コック    ４７  冷却用コック部    ４８  冷却用空気通路
４９  冷却用コック    ５０  ドリル刃    ５２  空気通路    ５３  流入口
５４  吐出口    ５６  刃部    ５８  逃がし溝    ６１  リング    ６２  排出口